(57)【要約】【課題】ライブラリ装置が、より簡単な構造にて、マガジンを取り出し可能か否かを表示できるようにする。【解決手段】ライブラリ装置が、記録媒体を収容するマガジンと、当該マガジンが一方向へ挿入されるライブラリ装置本体と、当該ライブラリ装置本体への前記マガジンの前記一方向への挿入により、前記ライブラリ装置本体内の前記マガジン移動空間内に突出する方向へ移動して、前記一方向と反対方向へのマガジンの移動を規制するロック装置と、前記ロック装置の移動により光線の光路を変更する光学経路と、を具備する。【選択図】図１
2015032323.tif 000002
【特許請求の範囲】
【請求項１】
記録媒体を収容するマガジンと、
当該マガジンが一方向へ挿入されるライブラリ装置本体と、
当該ライブラリ装置本体への前記マガジンの前記一方向への挿入により、前記ライブラリ装置本体内の前記マガジン移動空間内に突出する方向へ移動して、前記一方向と反対方向へのマガジンの移動を規制するロック装置と、
前記ロック装置の移動により光線の光路を変更する光学経路と、
を具備することを特徴とするライブラリ装置。
【請求項２】
前記ライブラリ装置内に前記一方向および反対方向に移動自在に設けられて、前記マガジンに収容された記録媒体を操作するアクセッサと、
前記アクセッサに設けられて、前記記録媒体へ光線を照射する光源と、
を具備し、
前記光学経路は、前記ロック装置が前記マガジンの移動を規制する位置以外にある場合に、前記光源から照射された光線を前記一方向と反対方向へ導き、前記ロック装置が前記規制する位置にある場合に、前記光源から照射された光線を前記反対方向以外の方向へ導く、
ことを特徴とする請求項１に記載のライブラリ装置。
【請求項３】
前記ライブラリ装置本体には、前記マガジンが当該マガジンの第１の面に沿って前記一方向へ挿入され、
前記マガジンには、前記第１の面と直交し、前記一方向に沿う第２の面に沿い、前記ライブラリ装置本体に接触して前記マガジンの挿入方向を規制する案内レールと、当該案内レールの表面に対して不連続とされた段差部とが設けられ、
前記ロック装置は、前記段差部と接することによって前記マガジンの前記一方向と反対方向への移動を規制し、
前記アクセッサは、所定位置へ移動することによって、前記ロック装置を前記段差部と接しない所定位置へ移動させ、
前記光学経路は、前記ロック装置が当該所定位置へ移動した場合に、前記光源から照射された光線を前記一方向と反対方向へ導く、
ことを特徴とする請求項２に記載のライブラリ装置。
【発明の詳細な説明】
【技術分野】
【０００１】
本発明は、ライブラリ装置に関する。
【背景技術】
【０００２】
記録媒体を交換可能な記憶装置の１つにライブラリ装置がある（例えば、特許文献１、２）。ライブラリ装置は、記録媒体を収納して当該ライブラリ装置の本体から着脱可能なマガジンを具備し、本体にマガジンを挿入された状態で、当該マガジンの収納する記録媒体に対してデータの読み書きを行う。
【先行技術文献】
【特許文献】
【０００３】
【特許文献１】特開２００９−２３０８３９号公報
【特許文献２】特開２００９−２３８２６０号公報
【発明の概要】
【発明が解決しようとする課題】
【０００４】
ライブラリ装置において、マガジンを取り出し（イジェクト）可能か否かを表示する方法として、例えば発光ダイオードなど専用の表示ランプを設け、マガジンを取り出し可能な場合に表示ランプを点灯させる方法がある。
しかしながら、この方法では、表示ランプのパッケージ（ＰＫＧ）を設け、当該パッケージと制御回路との間をケーブル等で配線する必要がある。この点において、ライブラリ装置の構造が複雑になってしまい、ライブラリ装置の小型化に対する制約となる。特に、４Ｕライブラリ装置など複数のマガジンを具備するライブラリ装置では、マガジン毎に表示ランプを設ける必要があり、この点においてライブラリ装置の構造が、より複雑になってしまう。
【０００５】
本発明は、上述の課題を解決することのできるライブラリ装置を提供することを目的としている。
【課題を解決するための手段】
【０００６】
この発明は上述した課題を解決するためになされたもので、本発明の一態様によるライブラリ装置は、記録媒体を収容するマガジンと、当該マガジンが一方向へ挿入されるライブラリ装置本体と、当該ライブラリ装置本体への前記マガジンの前記一方向への挿入により、前記ライブラリ装置本体内の前記マガジン移動空間内に突出する方向へ移動して、前記一方向と反対方向へのマガジンの移動を規制するロック装置と、前記ロック装置の移動により光線の光路を変更する光学経路と、を具備することを特徴とする。
【発明の効果】
【０００７】
本発明によれば、より簡単な構造にて、マガジンを取り出し可能か否かを表示することができる。
【図面の簡単な説明】
【０００８】
【図１】本発明の一実施形態におけるライブラリ装置の本体とマガジンとの関係を説明するための概略構造図である。
【図２】同実施形態におけるライブラリ装置が用いる記憶媒体の外形の例を示す外形図である。
【図３】同実施形態のアクセッサにおけるバーコードリーダおよび発光ダイオードの配置例を示す説明図である。
【図４】同実施形態における、マガジンの抜かれた状態での、ライブラリ装置本体内部の配置例を示す説明図である。
【図５】同実施形態における光方向変更部品の外形の例を示す外形図である。
【図６】同実施形態における光方向変更部品の入光部と出光部との位置関係の例を示す説明図である。
【図７】同実施形態におけるロックレバーへの光方向変更部品の設置例を示す説明図である。
【図８】同実施形態における、マガジンをライブラリ装置本体に挿入する途中の状態での、ライブラリ装置本体内部の配置例を示す説明図である。
【図９】同実施形態におけるマガジンを下から見た外形例を示す外形図である。
【図１０】同実施形態における、マガジンがロックされた状態での、ライブラリ装置本体内部の配置例を示す説明図である。
【図１１】同実施形態における、マガジンがロックされた状態での、ライブラリ装置本体内部の配置例を示す、もう１つの説明図である。
【図１２】同実施形態における、マガジンがロックされた状態での、光方向変更部品１７の向きを示す説明図である。
【図１３】同実施形態における、マガジンのロックが解除された状態での、ライブラリ装置本体内部の配置例を示す説明図である。
【図１４】同実施形態における、マガジンのロックが解除された状態での、光方向変更部品の向きおよび発光ダイオードの位置を示す説明図である。
【発明を実施するための形態】
【０００９】
以下、図面を参照して、本発明の実施の形態について説明する。
図１は、本発明の一実施形態におけるライブラリ装置の本体とマガジンとの関係を説明するための概略構造図である。同図において、ライブラリ装置１は、ライブラリ装置本体２と、マガジン１９とを具備する。
【００１０】
ライブラリ装置１は、例えば磁気テープライブラリ装置など、着脱可能なマガジンの収納する記録媒体に対してデータの読み書きを行う装置である。
マガジン１９は、記録媒体を複数収容可能であり、ライブラリ装置本体２の前面（フロント）からライブラリ装置本体２へ挿入される。図１において、マガジン１９の挿入方向を矢印Ｌ１１にて示している。矢印Ｌ１１で示す挿入方向は、本発明における一方向の一例に該当する。
マガジン１９の取り出しは、矢印Ｌ１１で示す挿入方向と反対方向にマガジン１９を移動させて行われる。マガジン１９の出し入れは、ユーザ（マガジンオペレータ）が行う。
【００１１】
後述するように、マガジン１９は、ライブラリ装置本体２に挿入された状態でロックされる。ロックを解除された状態（ロック解除状態）にて、ユーザは、マガジン１９をライブラリ装置本体２から取り出すことができる。また、ライブラリ装置本体２の前面には、マガジンを取り出し可能か否かを表示するための表示窓１１１が設けられている。
【００１２】
ライブラリ装置本体２は、筐体１１と、当該筐体１１の内部に設けられたドライブ装置１２と、アクセッサ１３と、を具備する。
ライブラリ装置本体２にマガジン１９が挿入された状態で、アクセッサ１３が、マガジン１９から記録媒体を取り出してドライブ装置１２へ挿入する。ドライブ装置１２は、挿入された記録媒体９００に対してデータの読み書きを行う。
【００１３】
図１において、矢印Ｌ１２にてアクセッサ１３の移動方向を示している。アクセッサ１３は、マガジン１９の移動方向およびその反対方向に移動自在に設置されている。アクセッサ１３は、矢印Ｌ１２に示す移動方向に移動して、マガジン１９とドライブ装置１２との間で媒体を運ぶ。
具体的には、アクセッサ１３は、マガジン１９から記録媒体を取り出すと、マガジン１９の挿入方向に移動して、当該記録媒体をドライブ装置１２へ挿入する。また、アクセッサ１３は、ドライブ装置１２が使用を終了した記録媒体をドライブ装置１２から取り出し、マガジン１９の挿入方向と反対方向に移動して、当該記録媒体をマガジン１９へ挿入する（収納させる）。
【００１４】
次に図２および図３を参照して、アクセッサ１３による記録媒体のバーコードの読み取りについて説明する。
図２は、ライブラリ装置１が用いる記憶媒体の外形の例を示す外形図である。同図において、記録媒体９００の背面にバーコードラベル９０１が貼られている。ここでいう背面は、マガジン１９に挿入された際にマガジン１９の外部から見える面である。
バーコードラベル９０１は、記録媒体９００を識別するためのラベルであり、記録媒体９００の識別情報がバーコードにて記載されている。
【００１５】
図３は、アクセッサ１３におけるバーコードリーダおよび発光ダイオードの配置例を示す説明図である。同図において、アクセッサ１３は、バーコードラベル９０１と向かい合うように配置されたバーコードリーダ１３１および発光ダイオード（Light Emitting Diode、ＬＥＤ）１３２を具備している。
ライブラリ装置本体２の内部は暗いため、アクセッサ１３は、発光ダイオード１３２を発光させてバーコードラベル９０１を照らした状態で、バーコードリーダ１３１にてバーコードを読み取る。発光ダイオード１３２は、バーコードリーダ１３１の近くに設置され、バーコードラベル９０１に向けて光を照射する。発光ダイオード１３２は、光源の一例に該当する。
【００１６】
次に、図４〜図７を参照して、ライブラリ装置本体２が具備するロックレバーおよび光方向変更部品について説明する。
図４は、マガジン１９の抜かれた状態での、ライブラリ装置本体２内部の配置例を示す説明図である。同図では、ライブラリ装置本体２を上面側から見た場合の各部の配置の例を示している。
同図において、ライブラリ装置本体２は、図１で説明した各部の他に、ロックレバー１４と、スプリング１５と、ストッパ１６と、光方向変更部品１７とを具備する。
【００１７】
ロックレバー１４は、回転軸Ｐ２１を中心に回転可能に設けられており、ライブラリ装置本体２に挿入されたマガジン１９をロックする機能を有する。ロックレバー１４は、ロック装置の一例に該当する。
ここでいうマガジン１９の「ロック」とは、マガジン１９をライブラリ装置本体２の内部に物理的に固定することである。マガジン１９がロックされた状態では、例えば地震によってライブラリ装置本体２が揺れても、マガジン１９はライブラリ装置本体２内に留まる。また、マガジン１９がロックされた状態では、ユーザは、マガジン１９を取り出すことができない。
【００１８】
スプリング１５は、回転軸Ｐ１１を中心に回転可能に設けられている。また、スプリング１５の一端である固定端Ｐ１２は、筐体１１に対して固定されている。そして、スプリング１５は、ロックレバー１４に接して、矢印Ｌ２１の示す向きにロックレバー１４を回転させるように、ロックレバー１４に力を加える。
ストッパ１６は、筐体１１に対して固定されて設けられており、ロックレバー１４の回転範囲を一定の範囲内に制限する。マガジン１９が抜かれた状態では、ロックレバー１４はストッパ１６に当たった状態で停止している。
【００１９】
マガジン１９が抜かれた状態では、アクセッサ１３は、図４に示すように、ロックレバー１４に接しない位置にある。具体的には、ライブラリ装置本体２内部には、マガジン１９の挿入の有無を検知するセンサが設けられており、当該センサが、マガジン１９が挿入されていないことを検出すると、アクセッサ１３は、ロックレバー１４に接しない所定の待機位置にて待機する。
【００２０】
光方向変更部品１７は、光線の光路を変更させる。光方向変更部品１７は、光学経路の一例に該当する。
特に、光方向変更部品１７は、発光ダイオード１３２の照射した光線を受けると、当該光線の向きを変更させる。光方向変更部品１７は、ロックレバー１４に設けられており、ロックレバー１４の位置（回転角度）に応じて、発光ダイオード１３２の照射した光線を異なる向きに導く。後述するように、光方向変更部品１７が、発光ダイオード１３２の発する光線を表示窓１１１へ導き、表示窓１１１が当該光線を出力することで、マガジン１９を取り出し可能な状態であることが示される。
なお、マガジン１９が抜かれた状態では、発光ダイオード１３２は発光しない。従って、表示窓１１１は光線を出力せず、マガジン１９を取り出し可能な状態ではないことが示される。
【００２１】
図５は、光方向変更部品１７の外形の例を示す外形図である。同図において、光方向変更部品１７は、入光部Ｆ１１と、光方向変更部品１７の内側に設けられた反射面Ｆ１２と、出光部Ｆ１３とを有している。
例えば、光方向変更部品１７は、図５に示す形状のプリズムにて構成され、入光部Ｆ１１と出光部Ｆ１３以外の面は光を透過させないように加工処理されている。反射面Ｆ１２は、入光部Ｆ１１から光方向変更部品１７の内部へ進入した光線を反射することで、光線の光路を変更する。
【００２２】
図６は、光方向変更部品１７の入光部と出光部との位置関係の例を示す説明図である。同図において、入光部Ｆ１１の面、出光部Ｆ１３の面は、いずれも反射面Ｆ１２に対して４５度の向きに設けられている。また、入光部Ｆ１１は、光方向変更部品１７へ進入する光線の向きを限定するために突出して設けられている。同様に、入光部Ｆ１３は、光方向変更部品１７から出る光線の向きを限定するために突出して設けられている。
【００２３】
かかる配置により、入光部Ｆ１１の面に垂直に入射した光線（入射光）は、反射面Ｆ１２に対して４５度の角度で当たり、９０度向きを変えて出光部Ｆ１３から出射される。一方、入光部Ｆ１１の面に対して垂直以外の角度の光線が光方向変更部品１７へ進入した場合、出向部Ｆ１３から出射される光線は弱い（光量が少ない）ものとなる。
【００２４】
なお、光方向変更部品１７は、特定の向きから光線を受けた場合に特定の向きへ光路を変更するものであればよく、プリズムを用いて構成されるものに限らない。
例えば、光方向変更部品１７が、反射面Ｆ１２を構成する鏡と、入光の向きおよび出光の向きを限定するために鏡を覆うカバーを用いて構成され、当該カバーが、入光部Ｆ１１および出光部Ｆ１３にて開口していてもよい。
あるいは、光方向変更部品１７が、光ファイバを用いて構成されて、光ファイバの一方の断面に垂直に入射される光線を、他の断面に垂直な向きに出射するようにしてもよい。
【００２５】
図７は、ロックレバー１４への光方向変更部品１７の設置例を示す説明図である。同図の例のように、光方向変更部品１７は、ロックレバー１４に対して固定して設置されており、ロックレバー１４の移動（回転）に伴って、光方向変更部品１７に対する発光ダイオード１３２（図４）の向きが変化する。
【００２６】
次に図８〜図１４を参照して、ロックレバー１４および光方向変更部品１７の動作について説明する。
図８は、マガジン１９をライブラリ装置本体２に挿入する途中の状態での、ライブラリ装置本体２内部の配置例を示す説明図である。同図では、ライブラリ装置本体２を上面側から見た場合の各部の配置の例を示している。
同図に示すように、マガジン１９は、マガジンレール１９１および１９２を具備している。マガジン１９をライブラリ装置本体２に挿入すると、マガジンレール１９２がロックレバー１４に当たる。マガジンレール１９２は、ロックレバー１４を押して当該ロックレバー１４を矢印Ｌ３１の示す向きへ回転させる。これにより、マガジン１９はロックレバー１４に規制されずにライブラリ装置本体２内へ進入する。マガジンレール１９２は、案内レールの一例に該当する。
【００２７】
図９は、マガジン１９を下から見た外形例を示す外形図である。図８を参照して説明したように、マガジン１９はマガジンレール１９１および１９２を具備している。マガジンレール１９１および１９２は、ライブラリ装置本体２に設けられたガイドレールに接触して、マガジン１９の挿入方向を図１の矢印Ｌ１１の方向に規制する。
【００２８】
また、マガジンレール１９２には段差部Ａ１１が設けられている。段差部Ａ１１では、マガジンレール１９２の外側（ロックレバー１４の当たる側）の一部が無く、マガジンレール１９２が細くなっている。
なお、マガジン１９の具備するガイドレールの数は、同図に示す２本に限らず、１本であってもよいし３本以上であってもよい。
【００２９】
図１０は、マガジン１９がロックされた状態での、ライブラリ装置本体２内部の配置例を示す説明図である。同図では、ライブラリ装置本体２を上面側から見た場合の各部の配置の例を示している。
マガジン１９がライブラリ装置本体２に挿入されると（挿入が完了すると）、ロックレバー１４は、マガジンレール１９２の段差部（図９の段差部Ａ１１）に入ることでマガジン１９をロックする。当該ロックにより、マガジン１９がライブラリ装置本体２から抜けなくなる。
このように、ロックレバー１４は、ライブラリ装置本体２へのマガジン１９の一方向（本実施形態では、矢印Ｌ１１（図１）の方向）への挿入により、ライブラリ装置本体２内のマガジン１９の移動空間内に突出する方向（本実施形態では、段差部Ａ１１（図９）へ突出する方向）へ移動して、一方向と反対方向へのマガジン１９の移動を規制する。
【００３０】
図１１は、マガジン１９がロックされた状態での、ライブラリ装置本体２内部の配置例を示す、もう１つの説明図である。同図では、ライブラリ装置本体２を前面側から見た場合の各部の配置の例を示している。
同図に示すように、ロックレバー１４は、マガジンレール１９１および１９２の高さを利用してマガジン１９の下へ入り込んでいる。
また、マガジンレール１９１および１９２が、ライブラリ装置本体２のガイドレールから外れないよう、マガジン１９と筐体１１との高さ方向の隙間は限定的になっており、マガジン１９は、上下方向の動きが規制されている。
【００３１】
図１２は、マガジン１９がロックされた状態での、光方向変更部品１７の向きを示す説明図である。
マガジン１９がロックされた状態では、ロックレバー１４がマガジンレール１９２の段差部に入ることで、光方向変更部品１７の向きは、表示窓１１１へ光線を出力する向きからずれている。例えば、図１２において、発光ダイオード１３２が出力した光線は、入射角と反射角との関係から鋭角に反射され、表示窓１１１の方向へは出力されない。発光ダイオード１３２が図１２に示す位置以外の位置にある場合も、光方向変更部品１７は、表示窓１１１へ向けては光線を出力しない。これにより、マガジン１９が取り出し可能ではないことが示される。
【００３２】
図１３は、マガジン１９のロックが解除された状態での、ライブラリ装置本体２内部の配置例を示す説明図である。同図では、ライブラリ装置本体２を上面側から見た場合の各部の配置の例を示している。
ユーザがライブラリ装置１に対してマガジン１９の引出要求操作を行うと、アクセッサ１３が、ライブラリ装置本体２の前面側へと移動して、矢印Ｌ４１の示す向きへロックレバー１４を回転させる。当該回転により、ロックレバー１４がマガジンレール１９２の段差部から外れることで、ロックが解除される。これにより、マガジン１９の引き抜きが可能になる。
【００３３】
図１４は、マガジン１９のロックが解除された状態での、光方向変更部品１７の向きおよび発光ダイオード１３２の位置を示す説明図である。
図１３を参照して説明したように、マガジン１９のロックが解除された状態では、アクセッサ１３は、ロックレバー１４を回転させる特定の位置にある。これにより、アクセッサ１３に設置されている発光ダイオード１３２も特定の位置にある。また、マガジン１９のロックが解除された状態では、ロックレバー１４は、アクセッサ１３に押されて回転して特定の向きを向く。これにより、ロックレバー１４に設置されている光方向変更部品１７も特定の向きを向く。
【００３４】
このように、マガジン１９のロックが解除された状態では、発光ダイオード１３２の位置および光方向変更部品１７の向きが特定される。具体的には、発光ダイオード１３２は、光方向変更部品１７の入光部（図６のＦ１１）の面に対して垂直に光線を照射する位置にある。
そして、マガジン１９のロックが解除された状態では、発光ダイオード１３２は発光する。光方向変更部品１７は、発光ダイオード１３２からの光線を９０度の角度で反射させて表示窓１１１へ導く。表示窓１１１は、光方向変更部品１７を介して到達した発光ダイオード１３２からの光線をライブラリ装置本体２の外部へ出力することで、マガジン１９が取り出し可能であることを表示する。
【００３５】
例えば、表示窓１１１は、筐体１１の前面に設けられた孔に、拡散材を含む色つきのプラスチックを挿入されて構成され、光方向変更部品１７を介して到達した発光ダイオード１３２からの光線を散乱させる。これにより、ユーザは、表示窓１１１の正面に位置していなくても、表示窓１１１が出力した光を知覚して、マガジン１９が取り出し可能であることを知ることができる。
【００３６】
以上のように、ロックレバー１４は、ライブラリ装置本体２へのマガジン１９の挿入方向への挿入により、ライブラリ装置本体２内のマガジン１９の移動空間内に突出する方向へ移動して、挿入方向と反対方向へのマガジンの移動を規制する。そして、光方向変更部品１７は、ロックレバー１４の移動により光線の光路を変更する。
これにより、マガジン１９がロックされた状態とロック解除された状態とで、光方向変更部品１７が光路を変更した光線の向きを変えることができる。従って、マガジン１９がロックされた状態では、光方向変更部品１７からの光線が表示窓１１１に向かわないようにすることができ、ロック解除された状態では、光方向変更部品１７からの光線が表示窓１１１に向かうようにすることができる。
従って、マガジン１９を取り出し可能か否かを表示する専用のランプを必要としない、より簡単な構造にて、マガジン１９を取り出し可能か否かを表示することができる。
【００３７】
より具体的には、光方向変更部品１７は、ロックレバー１４がマガジン１９の移動を規制する位置以外にある場合に、発光ダイオード１３２から照射された光線を挿入方向と反対方向へ（従って、ライブラリ装置本体２の前面側へ）導く。一方、ロックレバー１４がマガジン１９の移動を規制する位置にある場合、光方向変更部品１７は、発光ダイオード１３２から照射された光線を挿入方向と反対方向以外の方向へ導く。ロックレバー１４がマガジン１９の移動を規制する位置以外にある状態には、ロック解除状態が含まれる。
従って、ライブラリ装置本体２の前面側に位置するユーザは、ロック解除状態において当該光線を知覚して、マガジン１９を取り出し可能であることを知ることができる。
【００３８】
また、マガジンレール１９２に段差部とが設けられ、ロックレバー１４は、段差部と接することによって前記マガジンの前記一方向と反対方向への移動を規制する。アクセッサ１３は、所定位置（図１３に示すロック解除位置）へ移動することによって、ロックレバー１４を段差部と接しない所定位置へ移動させる。そして、光方向変更部品１７は、ロックレバー１４が所定位置へ移動した場合に、発光ダイオード１３２から照射された光線を挿入方向と反対方向へ導く。
これにより、マガジンレール１９２の段差部へ入り込むことでマガジン１９をロックするロックレバー１４に光方向変更部品１７を設けるという簡単な構成を用いて、マガジン１９を取り出し可能か否かの表示を行うことができる。
【００３９】
以上、本発明の実施形態について図面を参照して詳述してきたが、具体的な構成はこの実施形態に限られるものではなく、この発明の要旨を逸脱しない範囲の設計変更等も含まれる。
【符号の説明】
【００４０】
１  ライブラリ装置
２  ライブラリ装置本体
１１  筐体
１１１  表示窓
１２  ドライブ装置
１３  アクセッサ
１３１  バーコードリーダ
１３２  発光ダイオード
１４  ロックレバー
１５  スプリング
１６  ストッパ
１７  光方向変更部品
１９  マガジン
１９１  マガジンレール
１９２  マガジンレール
【図１】
2015032323.tif 000003
【図２】
2015032323.tif 000004
【図３】
2015032323.tif 000005
【図４】
2015032323.tif 000006
【図５】
2015032323.tif 000007
【図６】
2015032323.tif 000008
【図７】
2015032323.tif 000009
【図８】
2015032323.tif 000010
【図９】
2015032323.tif 000011
【図１０】
2015032323.tif 000012
【図１１】
2015032323.tif 000013
【図１２】
2015032323.tif 000014
【図１３】
2015032323.tif 000015
【図１４】
2015032323.tif 000016